(57)【要約】【課題】きのこ栽培瓶の瓶口上方に伸長するきのこの側面周囲を覆って、そのきのこを支持するきのこ栽培用の巻紙代用カバーを提供する。【解決手段】カバー本体５０を、コンテナ３０内の縦横に並ぶ複数本のきのこ栽培瓶２０の上部に被せて、そのカバー本体の各格子目５４の内側下部に、コンテナ３０内の縦横に並ぶ複数本の各きのこ栽培瓶の瓶口２２をそれぞれ遊挿すると共に、そのカバー本体５０を、係止手段６０を用いて、コンテナ３０内の縦横に並ぶきのこ栽培瓶２０に係止させる。そして、そのカバー本体の各格子目５４内側を通して、コンテナ３０内の縦横に並ぶ複数本の各きのこ栽培瓶の瓶口５４上方に伸長させるきのこ１０の側面周囲を、カバー本体の各格子目周囲の帯板５２によりそれぞれ支持する。【選択図】図３
2007209311.tif 000002
【特許請求の範囲】
【請求項１】
コンテナ内に起立させて縦横に並べて収容された複数本の各きのこ栽培瓶の瓶口内側を通して、その瓶口上方に伸長するきのこの側面周囲をそれぞれ覆って、そのきのこの側面周囲をそれぞれ支持する巻紙代用カバーであって、
複数枚の帯板を起立させて縦横に格子状に組み合わせた形状に形成された、その帯板で囲まれた複数の各格子目の縦横の口径が前記きのこ栽培瓶の瓶胴部の外径又はそれに近い径を持ち、前記コンテナ内の縦横に並ぶ複数本のきのこ栽培瓶の上部に被せて、その各格子目の内側下部にコンテナ内の縦横に並ぶ複数本の各きのこ栽培瓶の瓶口をそれぞれ遊挿した状態において、その複数本の各きのこ栽培瓶の瓶口周囲とその瓶口上方周囲とを各格子目周囲の帯板によりそれぞれ連続して方形筒状に囲むことの可能な構造をしたカバー本体と、
そのカバー本体を前記コンテナ内の縦横に並ぶ複数本のきのこ栽培瓶の上部に被せて、そのカバー本体の各格子目の内側下部にコンテナ内の縦横に並ぶ複数本の各きのこ栽培瓶の瓶口をそれぞれ遊挿し、その複数本の各きのこ栽培瓶の瓶口周囲とその瓶口上方周囲とをカバー本体の各格子目周囲の帯板によりそれぞれ連続して方形筒状に囲んだ状態において、コンテナ内の縦横に並ぶ複数本のきのこ栽培瓶の少なくとも一部のきのこ栽培瓶にカバー本体を係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐ係止手段とを有し、
前記カバー本体及び係止手段が、係止手段によりきのこ栽培瓶に係止させたカバー本体を、係止手段の係止力に抗して、又は係止手段の係止力を解放させて、コンテナ内の縦横に並ぶ複数本のきのこ栽培瓶の瓶口上方に収穫可能な大きさにそれぞれ伸長させたきのこの側面周囲及びそれに連なるきのこ栽培瓶の周囲をその下方に押し下げることが可能な構造をしていることを特徴とするきのこ栽培用の巻紙代用カバー。
【請求項２】
請求項１記載の巻紙代用カバーを用いたきのこ栽培方法であって、次のステップを含むことを特徴とするきのこ栽培方法。
ａ．前記カバー本体を前記コンテナ内の縦横に並ぶ複数本の各きのこ栽培瓶の上部に被せて、そのカバー本体の各格子目の内側下部にコンテナ内の縦横に並ぶ複数本の各きのこ栽培瓶の瓶口をそれぞれ遊挿し、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とするステップ。
ｂ．前記コンテナ内の縦横に並ぶ複数本の各きのこ栽培瓶の瓶口周囲及びそれに連なる瓶口上方周囲を囲むカバー本体を、前記係止手段を用いて、コンテナ内の縦横に並ぶ複数本のきのこ栽培瓶の少なくとも一部のきのこ栽培瓶に係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐステップ。
ｃ．前記コンテナ内の縦横に並ぶ複数本の各きのこ栽培瓶の瓶口周囲及びそれに連なる瓶口上方周囲を囲むカバー本体の各格子目内側を通して、そのコンテナ内の縦横に並ぶ複数本の各きのこ栽培瓶の瓶口上方に、きのこをそれぞれ収穫可能な大きさに伸長させるステップ。
ｄ．前記きのこ栽培瓶に係止手段により係止させたカバー本体を、係止手段の係止力に抗して、又は係止手段の係止力を解放させて、カバー本体の各格子目内側を通して、前記コンテナ内の縦横に並ぶ複数本の各きのこ栽培瓶の瓶口上方に収穫可能な大きさにそれぞれ伸長させたきのこの側面周囲、及びそれに連なるきのこ栽培瓶周囲をその下方に押し下げ、そのコンテナ内の縦横に並ぶ複数本の各きのこ栽培瓶の瓶口上方に収穫可能な大きさに伸長させたきのこを、カバー本体上方にそれぞれ露出させるステップ。
ｅ．前記カバー本体上方に露出させた収穫可能な大きさに伸長したきのこのそれぞれを、そのコンテナ内の縦横に並ぶ複数本の各きのこ栽培瓶の瓶口内側を通して、その各きのこ栽培瓶上方に抜き取って収穫するステップ。
【請求項３】
コンテナ内に起立させて縦横に並べて収容された複数本の各きのこ栽培瓶の瓶口内側を通して、その瓶口上方に伸長するきのこの側面周囲をそれぞれ覆って、そのきのこの側面周囲をそれぞれ支持する巻紙代用カバーであって、
複数枚の帯板を起立させて縦横に格子状に組み合わせた形状に形成された、その帯板で囲まれた複数の各格子目の縦横の口径が前記きのこ栽培瓶の瓶胴部の外径又はそれに近い径を持ち、前記コンテナ内の縦横に並ぶ複数本のきのこ栽培瓶の上部に被せて、その各格子目の内側下部にコンテナ内の縦横に並ぶ複数本の各きのこ栽培瓶の瓶口をそれぞれ遊挿した状態において、その複数本の各きのこ栽培瓶の瓶口周囲とその瓶口上方周囲とを各格子目周囲の帯板によりそれぞれ連続して方形筒状に囲むことの可能な構造をしたカバー本体と、
そのカバー本体を前記コンテナ内の縦横に並ぶ複数本のきのこ栽培瓶の上部に被せて、そのカバー本体の各格子目の内側下部にコンテナ内の縦横に並ぶ複数本の各きのこ栽培瓶の瓶口をそれぞれ遊挿し、その複数本の各きのこ栽培瓶の瓶口周囲とその瓶口上方周囲とをカバー本体の各格子目周囲の帯板によりそれぞれ連続して方形筒状に囲んだ状態において、カバー本体をコンテナに係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐ係止手段とを有し、
前記カバー本体及び係止手段が、係止手段によりコンテナに係止させたカバー本体を、係止手段の係止力に抗して、又は係止手段の係止力を解放させて、コンテナ内の縦横に並ぶ複数本のきのこ栽培瓶の瓶口上方に収穫可能な大きさにそれぞれ伸長させたきのこの側面周囲及びそれに連なるきのこ栽培瓶の周囲をその下方に押し下げることが可能な構造をしていることを特徴とするきのこ栽培用の巻紙代用カバー。
【請求項４】
請求項３記載の巻紙代用カバーを用いたきのこ栽培方法であって、次のステップを含むことを特徴とするきのこ栽培方法。
ａ．前記カバー本体を前記コンテナ内の縦横に並ぶ複数本の各きのこ栽培瓶の上部に被せて、そのカバー本体の各格子目の内側下部にコンテナ内の縦横に並ぶ複数本の各きのこ栽培瓶の瓶口をそれぞれ遊挿し、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とするステップ。
ｂ．前記コンテナ内の縦横に並ぶ複数本の各きのこ栽培瓶の瓶口周囲及びそれに連なる瓶口上方周囲を囲むカバー本体を、前記係止手段を用いて、コンテナに係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐステップ。
ｃ．前記コンテナ内の縦横に並ぶ複数本の各きのこ栽培瓶の瓶口周囲及びそれに連なる瓶口上方周囲を囲むカバー本体の各格子目内側を通して、そのコンテナ内の縦横に並ぶ複数本の各きのこ栽培瓶の瓶口上方に、きのこをそれぞれ収穫可能な大きさに伸長させるステップ。
ｄ．前記コンテナに係止手段により係止させたカバー本体を、係止手段の係止力に抗して、又は係止手段の係止力を解放させて、カバー本体の各格子目内側を通して、前記コンテナ内の縦横に並ぶ複数本の各きのこ栽培瓶の瓶口上方に収穫可能な大きさにそれぞれ伸長させたきのこの側面周囲、及びそれに連なるきのこ栽培瓶周囲をその下方に押し下げ、そのコンテナ内の縦横に並ぶ複数本の各きのこ栽培瓶の瓶口上方に収穫可能な大きさに伸長させたきのこを、カバー本体上方にそれぞれ露出させるステップ。
ｅ．前記カバー本体上方に露出させた収穫可能な大きさに伸長したきのこのそれぞれを、そのコンテナ内の縦横に並ぶ複数本の各きのこ栽培瓶の瓶口内側を通して、その各きのこ栽培瓶上方に抜き取って収穫するステップ。
【請求項５】
前記カバー本体が、そのカバー本体の帯板が可撓性部材から形成されていて、その帯板をきのこの側面周囲の形状及びきのこ栽培瓶の周囲の形状に倣って湾曲させて、係止手段によりきのこ栽培瓶又はコンテナに係止させたカバー本体を、係止手段の係止力に抗して、又は係止手段の係止力を解放させて、きのこの側面周囲及びきのこ栽培瓶周囲をその下方に押し下げることが可能な構造をしていることを特徴とする請求項１又は３記載のきのこ栽培用の巻紙代用カバー。
【請求項６】
前記係止手段が、カバー本体に一体に備えられた構造をしていることを特徴とする請求項１又は３記載のきのこ栽培用の巻紙代用カバー。
【請求項７】
前記係止手段が、カバー本体に着脱可能な構造をしていることを特徴とする請求項１又は３記載のきのこ栽培用の巻紙代用カバー。
【請求項８】
前記カバー本体が、そのカバー本体の複数枚の帯板を、その各帯板の組み合わせ箇所を中心に互いに正逆に回動させて、ほぼ１枚の帯板状に重ね合わせた状態に折り畳み可能な構造をしていることを特徴とする請求項１又は３記載のきのこ栽培用の巻紙代用カバー。
【発明の詳細な説明】
【技術分野】
【０００１】
本発明は、きのこ栽培瓶の瓶口内側を通して、瓶口上方に伸張するきのこの側面周囲を覆って、その栽培中のきのこの側面周囲を支持する、きのこ栽培用の巻紙代用カバーと、該カバーを用いたきのこ栽培方法に関する。
【背景技術】
【０００２】
えのき茸等のきのこは、広口のきのこ栽培瓶を用いて、人工栽培されている。
この栽培法においては、オガ屑、米ぬか等を所定比率で水と混合してなる培地を、きのこ栽培瓶に充填している。そして、そのきのこ栽培瓶内の培地に、きのこの種菌を接種、培養して、その培地上面からきのこを発芽させている。そして、その発芽させたきのこを、きのこ栽培瓶の広口の瓶口内側を通して、瓶口上方に、収穫可能な大きさに生育している。
この栽培法において、培地から発芽させたきのこを、きのこ栽培瓶の瓶口内側を通して、瓶口上方に生育する際には、そのきのこ栽培瓶の瓶口周囲に、厚手の巻紙を筒状に巻き付けている。そして、その巻紙上端を、きのこ栽培瓶の瓶口上方に筒状に起立させている。そして、その瓶口上方に筒状に起立する巻紙内側空間で、きのこ栽培瓶の瓶口内側を通して瓶口上方に伸張するきのこを、収穫可能な大きさに生育している。
【０００３】
このようにして、栽培中のきのこを、瓶口上方に筒状に起立させた巻紙内側空間で生育する理由は、きのこ栽培瓶の瓶口内側を通して瓶口上方に株状等になって伸張するえのき茸等のきのこが、きのこ栽培瓶外方に倒れるのを防ぐためである。そして、そのきのこを、瓶口上方に向けて真っすぐに見栄え良く株状に生育するためである。また、その栽培中のきのこが外気に触れて乾燥し過ぎた状態となり、茶色等に着色したり、立ち枯れ等したりするのを防いで、そのきのこを白色等をした水々しい状態に生育するためである。
【特許文献１】特開２０００−０９２９８４号公報
【発明の開示】
【発明が解決しようとする課題】
【０００４】
ところで、えのき茸等のきのこ栽培において、上記のようにして、きのこを栽培中のきのこ栽培瓶の瓶口周囲に巻紙を巻き付けるいわゆる巻紙作業は、多大な手数と時間を要し、きのこの人工栽培の省力化、効率化を妨げる最大のネックとなっていた。
【０００５】
本発明は、このような課題を解消するためになされたもので、きのこ栽培瓶の瓶口内側を通して、その瓶口上方に伸長するきのこの側面周囲を覆って、そのきのこがきのこ栽培瓶外方に倒れぬように支持する、前記の巻紙に代わる、巻紙代用カバーであって、前記の手数の掛る面倒な巻紙作業を無くして、えのき茸等のきのこの人工栽培を大幅に簡易化、省力化できる、きのこ栽培用の巻紙代用カバー（以下、単に巻紙代用カバーという）と、該カバーを用いたきのこ栽培方法を提供することを、目的としている。
【課題を解決するための手段】
【０００６】
このような目的を達成するために、本発明の第１の巻紙代用カバーは、コンテナ内に起立させて縦横に並べて収容された複数本の各きのこ栽培瓶の瓶口内側を通して、その瓶口上方に伸長するきのこの側面周囲をそれぞれ覆って、そのきのこの側面周囲をきのこが倒れぬようにそれぞれ支持する巻紙代用カバーであって、
複数枚の帯板を起立させて縦横に格子状に組み合わせた形状に形成された、その帯板で囲まれた複数の各格子目の縦横の口径が前記きのこ栽培瓶の瓶胴部の外径又はそれに近い径を持ち、前記コンテナ内の縦横に並ぶ複数本のきのこ栽培瓶の上部に被せて、その各格子目の内側下部にコンテナ内の縦横に並ぶ複数本の各きのこ栽培瓶の瓶口をそれぞれ遊挿した状態において、その複数本の各きのこ栽培瓶の瓶口周囲とその瓶口上方周囲とを各格子目周囲の帯板によりそれぞれ連続して方形筒状に囲むことの可能な構造をしたカバー本体と、
そのカバー本体を前記コンテナ内の縦横に並ぶ複数本のきのこ栽培瓶の上部に被せて、そのカバー本体の各格子目の内側下部にコンテナ内の縦横に並ぶ複数本の各きのこ栽培瓶の瓶口をそれぞれ遊挿し、その複数本の各きのこ栽培瓶の瓶口周囲とその瓶口上方周囲とをカバー本体の各格子目周囲の帯板によりそれぞれ連続して方形筒状に囲んだ状態において、コンテナ内の縦横に並ぶ複数本のきのこ栽培瓶の少なくとも一部のきのこ栽培瓶にカバー本体を係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐ係止手段とを有し、
前記カバー本体及び係止手段が、係止手段によりきのこ栽培瓶に係止させたカバー本体を、係止手段の係止力に抗して、又は係止手段の係止力を解放させて、コンテナ内の縦横に並ぶ複数本のきのこ栽培瓶の瓶口上方に収穫可能な大きさにそれぞれ伸長させたきのこの側面周囲及びそれに連なるきのこ栽培瓶の周囲をその下方に押し下げることが可能な構造をしていることを特徴としている。
【０００７】
本発明の第１のきのこ栽培方法は、本発明の第１の巻紙代用カバーを用いたきのこ栽培方法であって、次のａ〜ｅのステップを含むことを特徴としている。
ａ．前記カバー本体を前記コンテナ内の縦横に並ぶ複数本の各きのこ栽培瓶の上部に被せて、そのカバー本体の各格子目の内側下部にコンテナ内の縦横に並ぶ複数本の各きのこ栽培瓶の瓶口をそれぞれ遊挿し、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とするステップ。
ｂ．前記コンテナ内の縦横に並ぶ複数本の各きのこ栽培瓶の瓶口周囲及びそれに連なる瓶口上方周囲を囲むカバー本体を、前記係止手段を用いて、コンテナ内の縦横に並ぶ複数本のきのこ栽培瓶の少なくとも一部のきのこ栽培瓶に係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐステップ。
ｃ．前記コンテナ内の縦横に並ぶ複数本の各きのこ栽培瓶の瓶口周囲及びそれに連なる瓶口上方周囲を囲むカバー本体の各格子目内側を通して、そのコンテナ内の縦横に並ぶ複数本の各きのこ栽培瓶の瓶口上方に、きのこをそれぞれ収穫可能な大きさに伸長させるステップ。
ｄ．前記係止手段によりきのこ栽培瓶に係止させたカバー本体を、係止手段の係止力に抗して、又は係止手段の係止力を解放させて、カバー本体の各格子目内側を通して、前記コンテナ内の縦横に複数本並ぶ各きのこ栽培瓶の瓶口上方に収穫可能な大きさにそれぞれ伸長させたきのこの側面周囲、及びそれに連なるきのこ栽培瓶周囲をその下方に押し下げ、そのコンテナ内の縦横に並ぶ複数本の各きのこ栽培瓶の瓶口上方に収穫可能な大きさに伸長させたきのこを、カバー本体上方にそれぞれ露出させるステップ。
ｅ．前記カバー本体上方に露出させた収穫可能な大きさに伸長したきのこのそれぞれを、そのコンテナ内の縦横に並ぶ複数本の各きのこ栽培瓶の瓶口内側を通して、その各きのこ栽培瓶上方に抜き取って収穫するステップ。
【０００８】
このような構成の第１の巻紙代用カバーを用いた、第１のきのこ栽培方法においては、そのａのステップにおいて、第１の巻紙代用カバーのカバー本体を、コンテナ内の縦横に並ぶ複数本のきのこ栽培瓶の上部に被せて、そのカバー本体の各格子目の内側下部に、コンテナ内の縦横に並ぶ複数本の各きのこ栽培瓶の瓶口をそれぞれ遊挿できる。そして、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とすることができる。
それと共に、そのｂのステップにおいて、そのコンテナ内の縦横に並ぶ複数本の各きのこ栽培瓶の瓶口周囲及びそれに連なる瓶口上方周囲を囲むカバー本体を、前記係止手段を用いて、コンテナ内の縦横に並ぶ複数本の少なくとも一部のきのこ栽培瓶に係止させることができる。そして、そのカバー本体の各格子目内側を通して、コンテナ内の縦横に並ぶ複数本の各きのこ栽培瓶の瓶口上方に伸長するきのこにより、カバー本体がきのこ栽培瓶上方に持ち上げられるのを防ぐことができる。
次いで、そのｃのステップにおいて、そのコンテナ内の縦横に並ぶ複数本の各きのこ栽培瓶の瓶口周囲及びそれに連なる瓶口上方周囲を囲むカバー本体の各格子目内側を通して、その縦横に並ぶ複数本の各きのこ栽培瓶に充填された培地から発芽させたきのこを、その各きのこ栽培瓶の瓶口内側を通して、その瓶口上方に、収穫可能な大きさにそれぞれ伸長させることができる。
その際には、そのコンテナ内の縦横に並ぶ複数本の各きのこ栽培瓶の瓶口上方に伸長させるきのこの側面周囲を、カバー本体の各格子目周囲の帯板によりそれぞれ支持して、その各きのこ栽培瓶の瓶口上方に伸長するきのこが、きのこ栽培瓶外方に倒れるのを防ぐことができる。
次いで、そのｄのステップにおいて、係止手段によりきのこ栽培瓶に係止させたカバー本体を、係止手段の係止力に抗して、又は係止手段の係止力を解放させて、カバー本体の各格子目内側を通して、コンテナ内の縦横に並ぶ複数本の各きのこ栽培瓶の瓶口上方に収穫可能な大きさにそれぞれ伸長させたきのこの側面周囲、及びそれに連なるきのこ栽培瓶の周囲を、その下方に押し下げることができる。そして、そのコンテナ内の縦横に並ぶ複数本の各きのこ栽培瓶の瓶口上方に収穫可能な大きさに伸長させたきのこのそれぞれを、カバー本体上方に露出させた状態とすることができる。
その際には、カバー本体をきのこの側面周囲をその下方にスライド降下させるために、きのこの脆弱な傘をカバー本体の帯板上端側縁に引掻ける等して、そのきのこの傘を痛めることなく、収穫可能な大きさに伸長させたきのこを、カバー本体の上方に露出させた状態とすることができる。
その後、そのｅのステップにおいて、そのカバー本体上方に露出させた収穫可能な大きさに伸長したきのこのそれぞれを、その各きのこ栽培瓶の瓶口内側を通して、その各きのこ栽培瓶上方にそれぞれ抜き取って収穫できる。
【０００９】
本発明の第２の巻紙代用カバーは、コンテナ内に起立させて縦横に並べて収容した複数本の各きのこ栽培瓶の瓶口内側を通して、その瓶口上方に伸長するきのこの側面周囲をそれぞれ覆って、そのきのこの側面周囲をきのこが倒れぬようにそれぞれ支持する巻紙代用カバーであって、
複数枚の帯板を起立させて縦横に格子状に組み合わせた形状に形成された、その帯板で囲まれた複数の各格子目の縦横の口径が前記きのこ栽培瓶の瓶胴部の外径又はそれに近い径を持ち、前記コンテナ内の縦横に並ぶ複数本のきのこ栽培瓶の上部に被せて、その各格子目の内側下部にコンテナ内の縦横に並ぶ複数本の各きのこ栽培瓶の瓶口をそれぞれ遊挿した状態において、その複数本の各きのこ栽培瓶の瓶口周囲とその瓶口上方周囲とを各格子目周囲の帯板によりそれぞれ連続して方形筒状に囲むことの可能な構造をしたカバー本体と、
そのカバー本体を前記コンテナ内の縦横に並ぶ複数本のきのこ栽培瓶の上部に被せて、そのカバー本体の各格子目の内側下部にコンテナ内の縦横に並ぶ複数本の各きのこ栽培瓶の瓶口をそれぞれ遊挿し、その複数本の各きのこ栽培瓶の瓶口周囲とその瓶口上方周囲とをカバー本体の各格子目周囲の帯板によりそれぞれ連続して方形筒状に囲んだ状態において、カバー本体をコンテナに係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐ係止手段とを有し、
前記カバー本体及び係止手段が、係止手段によりコンテナに係止させたカバー本体を、係止手段の係止力に抗して、又は係止手段の係止力を解放させて、コンテナ内にの縦横に並ぶ複数本の各きのこ栽培瓶の瓶口上方に収穫可能な大きさにそれぞれ伸長させたきのこの側面周囲及びそれに連なるきのこ栽培瓶の周囲をその下方に押し下げることが可能な構造をしていることを特徴としている。
【００１０】
本発明の第２のきのこ栽培方法は、本発明の第２の巻紙代用カバーを用いたきのこ栽培方法であって、次のａ〜ｅのステップを含むことを特徴としている。
ａ．前記カバー本体を前記コンテナ内の縦横に並ぶ複数本の各きのこ栽培瓶の上部に被せて、そのカバー本体の各格子目の内側下部にコンテナ内の縦横に並ぶ複数本の各きのこ栽培瓶の瓶口をそれぞれ遊挿し、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とするステップ。
ｂ．前記コンテナ内の縦横に並ぶ複数本の各きのこ栽培瓶の瓶口周囲及びそれに連なる瓶口上方周囲を囲むカバー本体を、前記係止手段を用いて、コンテナに係止させて、そのカバー本体の各格子目内側を通して、前記複数本の各きのこ栽培瓶の瓶口上方に伸長するきのこにより、カバー本体がきのこ栽培瓶上方に持ち上げられるのを防ぐステップ。
ｃ．前記コンテナ内の縦横に並ぶ複数本の各きのこ栽培瓶の瓶口周囲及びそれに連なる瓶口上方周囲を囲むカバー本体の各格子目内側を通して、そのコンテナ内の縦横に並ぶ複数本の各きのこ栽培瓶の瓶口上方に、きのこをそれぞれ収穫可能な大きさに伸長させるステップ。
ｄ．前記係止手段によりコンテナに係止させたカバー本体を、係止手段の係止力に抗して、又は係止手段の係止力を解放させて、カバー本体の各格子目内側を通して、前記コンテナ内の縦横に並ぶ複数本の各きのこ栽培瓶の瓶口上方に収穫可能な大きさにそれぞれ伸長させたきのこの側面周囲、及びそれに連なるきのこ栽培瓶周囲をその下方に押し下げ、そのコンテナ内の縦横に並ぶ複数本の各きのこ栽培瓶の瓶口上方に収穫可能な大きさに伸長させたきのこを、カバー本体上方にそれぞれ露出させるステップ。
ｅ．前記カバー本体上方に露出させた収穫可能な大きさに伸長したきのこのそれぞれを、そのコンテナ内の縦横に並ぶ複数本の各きのこ栽培瓶の瓶口内側を通して、その各きのこ栽培瓶上方に抜き取って収穫するステップ。
【００１１】
このような構成の第２の巻紙代用カバーを用いた、第２のきのこ栽培方法においては、そのａのステップにおいて、第２の巻紙代用カバーのカバー本体を、コンテナ内の縦横に並ぶ複数本のきのこ栽培瓶の上部に被せて、そのカバー本体の各格子目の内側下部に、コンテナ内の縦横に並ぶ複数本の各きのこ栽培瓶の瓶口をそれぞれ遊挿できる。そして、そのコンテナ内の縦横に並ぶ複数本の各きのこ栽培瓶の瓶口周囲とその瓶口上方周囲とのそれぞれをカバー本体の各格子目周囲の帯板によりそれぞれ連続して方形筒状に囲んだ状態とすることができる。
それと共に、そのｂのステップにおいて、そのコンテナ内の縦横に並ぶ複数本の各きのこ栽培瓶の瓶口周囲及びそれに連なる瓶口上方周囲を囲むカバー本体を、前記係止手段を用いて、コンテナに係止させることができる。そして、そのカバー本体の各格子目内側を通して、コンテナ内の縦横に並ぶ複数本の各きのこ栽培瓶の瓶口上方に伸長するきのこにより、カバー本体がきのこ栽培瓶上方に持ち上げられるのを防ぐことができる。
次いで、そのｃのステップにおいて、そのコンテナ内の縦横に並ぶ複数本の各きのこ栽培瓶の瓶口周囲及びそれに連なる瓶口上方周囲を囲むカバー本体の各格子目内側を通して、その縦横に複数本並ぶ各きのこ栽培瓶に充填された培地から発芽させたきのこを、その各きのこ栽培瓶の瓶口内側を通して、その瓶口上方に、収穫可能な大きさにそれぞれ伸長させることができる。
その際には、そのコンテナ内の縦横に並ぶ複数本の各きのこ栽培瓶の瓶口上方に伸長させるきのこの側面周囲を、カバー本体の各格子目内側周囲の帯板によりそれぞれ支持して、その各きのこ栽培瓶の瓶口上方に伸長するきのこが、きのこ栽培瓶外方に倒れるのを防ぐことができる。
次いで、そのｄのステップにおいて、係止手段によりコンテナに係止させたカバー本体を、係止手段の係止力に抗して、又は係止手段の係止力を解放させて、カバー本体の各格子目内側を通して、コンテナ内の縦横に並ぶ複数本の各きのこ栽培瓶の瓶口上方に収穫可能な大きさにそれぞれ伸長させたきのこの側面周囲、及びそれに連なるきのこ栽培瓶の周囲を、その下方に押し下げることができる。そして、そのコンテナ内の縦横に並ぶ複数本の各きのこ栽培瓶の瓶口上方に収穫可能な大きさに伸長させたきのこのそれぞれを、カバー本体上方に露出させた状態とすることができる。
その際には、カバー本体をきのこの側面周囲をその下方にスライド降下させるために、きのこの脆弱な傘をカバー本体の帯板上端側縁に引掻ける等して、そのきのこの傘を痛めることなく、収穫可能な大きさに伸長させたきのこを、カバー本体の上方に露出させた状態とすることができる。
その後、そのｅのステップにおいて、そのカバー本体上方に露出させた収穫可能な大きさに伸長したきのこのそれぞれを、その各きのこ栽培瓶の瓶口内側を通して、その各きのこ栽培瓶上方にそれぞれ抜き取って収穫できる。
【００１２】
本発明の第１、第２の巻紙代用カバーにおいては、カバー本体が、そのカバー本体の帯板が可撓性部材から形成されていて、その帯板をきのこの側面周囲の形状及びきのこ栽培瓶周囲の形状に倣って湾曲させて、係止手段によりきのこ栽培瓶又はコンテナに係止させたカバー本体を、係止手段の係止力に抗して、又は係止手段の係止力を解放させて、きのこの側面周囲及びきのこ栽培瓶周囲をその下方に押し下げることが可能な構造をしていることが好ましい。
そうした場合には、本発明の第１、第２のきのこ栽培方法のｄのステップにおいて、カバー本体の可撓性部材から形成された帯板を、きのこの側面周囲の形状やきのこ栽培瓶の周囲の形状に倣って適宜湾曲させて、カバー本体を、そのきのこの側面周囲やきのこ栽培瓶の周囲をその下方に、抵抗少なく円滑に押し下げることができる。そして、きのこの脆弱な傘を、カバー本体の帯板に引掻ける等して、そのきのこを痛めるのを、確実に防ぐことができる。
【００１３】
本発明の第１、第２の巻紙代用カバーにおいては、カバー本体が、そのカバー本体の複数枚の帯板を、その各帯板の組み合わせ箇所を中心に互いに正逆に回動させて、ほぼ１枚の帯板状に重ね合わせた状態に折り畳むことが可能な構造をしていることが好ましい。
そうした場合には、カバー本体の複数枚の帯板を、その各帯板の組み合わせ箇所を中心に互いに正逆に回動させて、その複数枚の帯板を縦横に組み合わせた形状に形成されたカバー本体を、ほぼ１枚の帯板状に重ね合わせた状態にコンパクトに折り畳むことができる。そして、第１、第２の巻紙代用カバーを、場所を取らぬように、容易に収納したり、容易に運搬したり可能となる。
【発明の効果】
【００１４】
以上説明したように、本発明の第１、第２の巻紙代用カバーを用いた本発明の第１、第２のきのこ栽培方法によれば、その複数枚の帯板を縦横に格子状に組み合わせた形状に形成されたカバー本体を、コンテナ内の縦横に並ぶ複数本のきのこ栽培瓶の上部に被せて、そのカバー本体を、係止手段を用いて、コンテナ内の縦横に並ぶ複数本のきのこ栽培瓶の少なくとも一部のきのこ栽培瓶に係止したり、コンテナに係止したりするだけで、そのコンテナ内の縦横に並ぶ複数本の各きのこ栽培瓶の瓶口上方に伸長させるきのこの側面周囲を、カバー本体の各格子目周囲の帯板によりそれぞれ支持できる。そして、そのきのこ栽培瓶の瓶口上方に伸長するきのこが、きのこ栽培瓶外方に倒れるのを防いで、そのきのこを、きのこ栽培瓶上方に向けて真っすぐに見栄え良く株状等に生育できる。また、その栽培中のきのこが外気に触れて乾燥し過ぎた状態となって、茶色等に着色したり、立ち枯れ等したりするのを防いで、そのきのこを白色等をした水々しい状態に生育できる。
【発明を実施するための最良の形態】
【００１５】
図１ないし図４は本発明の第１の巻紙代用カバーの好適な実施の形態を示し、図１はそのカバー本体の斜視図、図２と図３と図４はその使用状態説明図である。以下に、この第１の巻紙代用カバーを説明する。
【００１６】
第１の巻紙代用カバーは、図９に示されたような、籠状をしたプラスチック製などの底浅のコンテナ３０内に起立させて縦横に並べて収容された複数本のきのこ栽培瓶２０の瓶口２２内側を通して、その瓶口２２上方に株状に伸長するえのき茸等のきのこ（図示せず）の側面周囲を覆って、そのきのこがきのこ栽培瓶２０外方に倒れぬように支持するのに、使用される。
【００１７】
第１の巻紙代用カバーは、図１に示されたような、複数枚の帯板５２を起立させて縦横に格子状に組み合わせた形状に形成されたカバー本体５０を、主要構成部材としている。カバー本体５０の複数枚の帯板５２が囲む各格子目５４の縦横の口径は、きのこ栽培瓶の瓶胴部２４の外径又はそれに近い径を持っている。そして、図２と図３に示したように、そのカバー本体５０をコンテナ３０内の縦横に並ぶ複数本のきのこ栽培瓶２０の上部に被せて、そのカバー本体の各格子目５４の内側下部にコンテナ３０内の縦横に並ぶ複数本の各きのこ栽培瓶の瓶口２２をそれぞれ遊挿できる構造をしている。そして、そのコンテナ３０内の縦横に並ぶ複数本の各きのこ栽培瓶の瓶口２２周囲とその瓶口２２上方周囲とを、カバー本体の各格子目５４周囲の帯板５２によりそれぞれ連続して方形筒状に囲んだ状態とすることができる構造をしている。
また、第１の巻紙代用カバーは、図３に示されたように、そのカバー本体５０をコンテナ３０内の縦横に並ぶ複数本のきのこ栽培瓶２０の上部に被せて、そのカバー本体の各格子目５４の内側下部にコンテナ３０内の縦横に並ぶ複数本の各きのこ栽培瓶の瓶口２２をそれぞれ遊挿し、そのコンテナ３０内の縦横に並ぶ複数本の各きのこ栽培瓶の瓶口２２周囲とその瓶口２２上方周囲とのそれぞれをカバー本体の各格子目５４周囲の帯板５２によりそれぞれ連続して方形筒状に囲んだ状態において、そのカバー本体５０をコンテナ３０内の縦横に並ぶ複数本のきのこ栽培瓶２０の少なくとも一部のきのこ栽培瓶２０（図３では、コンテナ３０内の最外側に収容されたきのこ栽培瓶２０としている）に所定値以上の力を加えない限り動かぬように係止させる係止手段６０を有している。係止手段６０は、ほぼ半球状をした、ゴム等の弾性体から形成されていて、カバー本体の帯板５２内側面に突設されている。そして、その係止手段６０を、きのこ栽培瓶の瓶口２２外側面に、係止手段６０の持つ弾性力を用いて押接させることにより、カバー本体５０をきのこ栽培瓶の瓶口２２外側面に動かぬように係止させることができる構造をしている。そして、その係止手段６０を用いて、そのカバー本体の各格子目５４内側を通して、コンテナ３０内の縦横に並ぶ複数本の各きのこ栽培瓶の瓶口２２上方に伸長するきのこ１０により、カバー本体５０がきのこ栽培瓶２０上方に持ち上げられるのを防ぐことができる構造をしている。
カバー本体５０は、そのカバー本体の帯板５２が、プラスチック製の薄板等の可撓性部材から形成されていて、その帯板５２をきのこの側面周囲の形状やきのこ栽培瓶２０の周囲の形状に倣って適宜湾曲させることができる構造をしている。そして、図４に示されたように、係止手段６０によりきのこ栽培瓶２０に係止させたカバー本体５０を、係止手段６０の係止力に抗して、きのこ１０の側面周囲及びそれに続くきのこ栽培瓶２０の周囲をその下方に抵抗少なく円滑に押し下げることができる構造をしている。
図１ないし図４に示された第１の巻紙代用カバーは、以上のように構成されている。
【００１８】
次に、この本発明の第１の巻紙代用カバーを用いた、本発明の第１のきのこ栽培方法の好適な実施の形態を説明する。図２ないし図４はその栽培方法の説明図である。以下に、この第１のきのこ栽培方法を説明する。
【００１９】
第１のきのこ栽培方法は、次のａ〜ｅのステップを含んでいる。
第１のきのこ栽培方法においては、そのａのステップにおいて、図２と図３に示されたように、第１の巻紙代用カバーのカバー本体５０を、コンテナ３０内の縦横に並ぶ複数本のきのこ栽培瓶２０の上部に被せて、そのカバー本体の各格子目５４の内側下部に、コンテナ３０内の縦横に並ぶ複数本の各きのこ栽培瓶の瓶口２２をそれぞれ遊挿している。そして、そのコンテナ３０内の縦横に並ぶ複数本の各きのこ栽培瓶の瓶口２２周囲とその瓶口２２上方周囲とを、カバー本体の各格子目５４周囲の帯板５２によりそれぞれ連続して方形筒状に囲んだ状態としている。
それと共に、そのｂのステップにおいて、図３に示されたように、そのコンテナ３０内の縦横に並ぶ複数本の各きのこ栽培瓶の瓶口２２周囲及びそれに連なる瓶口２２上方周囲を覆うカバー本体５０を、係止手段６０を用いて、コンテナ３０内の縦横に並ぶ複数本のきのこ栽培瓶２０の一部のきのこ栽培瓶の瓶口２２外側面に動かぬように係止させている。そして、そのカバー本体の各格子目５４内側を通して、コンテナ３０内の縦横に並ぶ複数本の各きのこ栽培瓶の瓶口２２上方に伸長するきのこ１０により、カバー本体５０がきのこ栽培瓶２０上方に持ち上げられるのを防いでいる。
次いで、そのｃのステップにおいて、図３に示されたように、そのコンテナ３０内の縦横に並ぶ複数本のきのこ栽培瓶の瓶口２２周囲及びそれに連なる瓶口２２上方周囲を囲むカバー本体の各格子目５４内側を通して、そのコンテナ３０内の縦横に並ぶ複数本の各きのこ栽培瓶２０に充填された培地から発芽させたきのこ１０を、その各きのこ栽培瓶の瓶口２２内側を通して、その瓶口２２上方に、収穫可能な大きさにそれぞれ伸長させている。
その際には、そのコンテナ３０内の縦横に並ぶ複数本の各きのこ栽培瓶の瓶口２２上方に伸長させるきのこ１０の側面周囲を、カバー本体の各格子目５４周囲を囲む帯板５２によりそれぞれ支持している。そして、その各きのこ栽培瓶の瓶口２２上方に伸長するきのこ１０が、きのこ栽培瓶２０外方に倒れるのを、カバー本体５０により防いでいる。
次いで、そのｄのステップにおいて、図４に示されたように、係止手段６０によりきのこ栽培瓶２０に係止させたカバー本体５０を、係止手段６０の係止力に抗して、カバー本体の各格子目５４内側を通して、コンテナ３０内の縦横に並ぶ複数本の各きのこ栽培瓶の瓶口２２上方に収穫可能な大きさに伸長させたきのこ１０の側面周囲、及びそれに連なるコンテナ３０上方に突出したきのこ栽培瓶２０の周囲を、その下方に押し下げている。そして、そのコンテナ３０内の縦横に並ぶ複数本の各きのこ栽培瓶の瓶口２２上方に収穫可能な大きさに伸長させたきのこ１０のそれぞれを、カバー本体５０上方に露出させた状態としている。
その際には、カバー本体５０をきのこ１０の側面周囲をその下方にスライド降下させて、そのきのこ１０の脆弱な傘等を、カバー本体の帯板５２上端側縁に引掻ける等して、痛めるのを防いでいる。そして、その収穫可能な大きさに伸長させたきのこ１０を、カバー本体５０の上方に露出させた状態としている。
その後、そのｅのステップにおいて、そのカバー本体５０上方に露出させた収穫可能な大きさに伸長したきのこ１０のそれぞれを、その各きのこ栽培瓶の瓶口２２内側を通して、その各きのこ栽培瓶２０上方にそれぞれ抜き取って収穫している。
【００２０】
図５は本発明の第２の巻紙代用カバーの好適な実施の形態を示し、図５はその使用状態説明図である。以下に、この第２の巻紙代用カバーを説明する。
【００２１】
第２の巻紙代用カバーは、前述の第１の巻紙代用カバーと同様に、籠状をしたプラスチック製などの底浅のコンテナ３０内に起立させて縦横に並べて収容された複数本の各きのこ栽培瓶の瓶口２２内側を通して、その瓶口２２上方に伸長するきのこ１０の側面周囲をそれぞれ覆って、そのきのこ１０がきのこ栽培瓶２０外方に倒れぬように支持するのに、用いられる。
【００２２】
第２の巻紙代用カバーは、前述の第１の巻紙代用カバーと同様に、図５（ｂ）に示されたように、その複数枚の帯板５２を起立させて縦横に格子状に組み合わせた形状に形成されたカバー本体５０をコンテナ３０内の縦横に並ぶ複数本のきのこ栽培瓶２０の上部に被せて、そのカバー本体の各格子目５４の内側下部にコンテナ３０内の縦横に並ぶ複数本の各きのこ栽培瓶の瓶口２２をそれぞれ遊挿し、そのコンテナ３０内の縦横に並ぶ複数本の各きのこ栽培瓶の瓶口２２周囲とその瓶口２２上方周囲とのそれぞれを、カバー本体の各格子目５４周囲の帯板５２によりそれぞれ連続して方形筒状に囲んだ状態において、そのカバー本体５０をコンテナ３０に動かぬように係止させる係止手段７０を有している。係止手段７０は、例えば、図５（ａ）に示されたような、プラスチック製などの帯板の一端とその他端に、Ｌ字状折曲部７２とＦ字状折曲部７４が備えられた形状をしている。そして、図５（ｂ）に示されたように、その係止手段一端のＬ字状折曲部７２を、カバー本体の最外側の帯板５２側壁に開口された係止穴５８に挿通、係止させることができる構造をしている。それと共に、その係止手段他端のＦ字状折曲部７４を、複数本のきのこ栽培瓶２０が縦横に並べて収容されたコンテナ上端周囲の顎部３２に遊嵌、係止させることができる構造をしている。そして、その係止手段７０を用いて、きのこ栽培瓶の瓶口２２周囲とその瓶口２２上方周囲とを連続して囲むカバー本体５０を、コンテナ３０に動かぬように係止させることができる構造をしている。そして、そのカバー本体の各格子目５４内側を通して、コンテナ３０内の縦横に並ぶ複数本の各きのこ栽培瓶の瓶口２２上方に伸長するきのこ１０により、カバー本体５０がきのこ栽培瓶２０上方に持ち上げられるのを防ぐことができる構造をしている。
その他は、図１ないし図４に示された、前述の第１のきのこ栽培用の巻紙代用カバーと同様に構成されている。
【００２３】
次に、この本発明の第２のきのこ栽培用の巻紙代用カバーを用いた、本発明の第２のきのこ栽培方法の好適な実施の形態を説明する。図５はその栽培方法の説明図である。以下に、この第２のきのこ栽培方法を説明する。
【００２４】
第２のきのこ栽培方法は、第２の巻紙代用カバーを用いたきのこ栽培方法であって、次のａ〜ｅのステップを含んでいる。
第２のきのこ栽培方法においては、そのａのステップにおいて、第２の巻紙代用カバーのカバー本体を、コンテナ３０内の縦横に並ぶ複数本のきのこ栽培瓶２０の上部に被せて、そのカバー本体の各格子目５４の内側下部に、コンテナ３０内の縦横に並ぶ複数本の各きのこ栽培瓶の瓶口２２をそれぞれ遊挿している。そして、そのコンテナ３０内の縦横に並ぶ複数本の各きのこ栽培瓶の瓶口２２周囲とその瓶口２２上方周囲とを、カバー本体の各格子目５４周囲の帯板５２によりそれぞれ連続して方形筒状に囲んだ状態としている。
それと共に、そのｂのステップにおいて、図５（ｂ）に示されたように、そのコンテナ３０内の縦横に並ぶ複数本の各きのこ栽培瓶の瓶口２２周囲及びそれに連なる瓶口２２上方周囲を囲むカバー本体５０を、係止手段７０を用いて、コンテナ上端の顎部３２に動かぬように係止させている。そして、そのカバー本体の各格子目５４内側を通して、コンテナ３０内の縦横に並ぶ複数本の各きのこ栽培瓶の瓶口２２上方に伸長するきのこ１０により、カバー本体５０がきのこ栽培瓶２０上方に持ち上げられるのを防いでいる。
次いで、そのｃのステップにおいて、図５（ｂ）に示されたように、そのコンテナ３０内の縦横に並ぶ複数本の各きのこ栽培瓶の瓶口２２周囲及びそれに連なる瓶口２２上方周囲を囲むカバー本体の各格子目５４内側を通して、そのコンテナ３０内の縦横に並ぶ複数本の各きのこ栽培瓶２０に充填された培地から発芽させたきのこ１０のそれぞれを、その各きのこ栽培瓶の瓶口２２内側を通して、その瓶口２２上方に、収穫可能な大きさに伸長させている。
その際には、そのコンテナ３０内の縦横に並ぶ複数本の各きのこ栽培瓶の瓶口２２上方に伸長させるきのこ１０の側面周囲を、カバー本体の各格子目５４周囲を囲む帯板５２によりそれぞれ支持している。そして、そのきのこ栽培瓶の瓶口２２上方に伸長するきのこ１０が、きのこ栽培瓶２０外方に倒れるのを、カバー本体５０により防いでいる。
次いで、そのｄのステップにおいて、係止手段一端のＬ字状折曲部７２を、カバー本体の帯板側壁の係止穴５８内から抜き取っている。それと共に、係止手段他端のＦ字状折曲部７４を、コンテナ上端周囲の顎部３２から抜き取っている。そして、カバー本体５０をコンテナ３０に係止している係止手段７０の係止力を解放させた状態としている。そして、カバー本体５０を、その各格子目５４内側を通して、コンテナ３０内の縦横に並ぶ複数本の各きのこ栽培瓶の瓶口２２上方に収穫可能な大きさに伸長させたきのこ１０の側面周囲、及びそれに連なるきのこ栽培瓶２０の周囲を、その下方に押し下げている。そして、そのコンテナ３０内の縦横に並ぶ複数本の各きのこ栽培瓶の瓶口２２上方に収穫可能な大きさに伸長させたきのこ１０のそれぞれを、カバー本体５０上方に露出させた状態としている。
その際には、カバー本体５０をきのこ１０の側面周囲をその下方にスライド降下させて、そのきのこ１０の脆弱な傘等を、カバー本体の帯板５２上端側縁に引掻ける等して、痛めるのを防いでいる。そして、その収穫可能な大きさに伸長させたきのこ１０を、カバー本体５０の上方に露出させた状態としている。
その後、そのｅのステップにおいて、そのカバー本体５０上方に露出させた収穫可能な大きさに伸長したきのこ１０のそれぞれを、その各きのこ栽培瓶の瓶口２２内側を通して、その各きのこ栽培瓶２０上方にそれぞれ抜き取って収穫している。
【００２５】
第１、第２の巻紙代用カバーは、図９に示されたような、その瓶胴部２４や瓶口２２が、円筒状をしたきのこ栽培瓶２０の外に、図１０に示されたような、その瓶胴部２４又は／及び瓶口２２が、方形筒状をしたきのこ栽培瓶２０にも、利用可能である。
【００２６】
第１の巻紙代用カバーの係止手段６０には、図６（ａ）に示されたような、きのこ栽培瓶の瓶口２２外側周囲に離脱可能に嵌挿、係止させるプラスチック製などの弾性リング６６を用いることも、可能である。そして、その弾性リングのリング部６５を、図６（ｂ）、（ｃ）に示されたように、カバー本体の帯板５２側壁に開口された幅広い挿通穴５７を通して、その内側のきのこ栽培瓶の瓶口２２外側周囲に動かぬように嵌挿、係止させると共に、その帯板の挿通穴５７に挿通された弾性リングの基部６７に、カバー本体５０を係止させても、良い。そして、その弾性リング６６を用いて、コンテナ３０内の縦横に並ぶ複数本の各きのこ栽培瓶の瓶口２２周囲及びそれに連なる瓶口２２上方周囲を囲むカバー本体５０を、そのコンテナ３０内のきのこ栽培瓶２０に動かぬように係止させても、良い。
そして、係止手段６０の不使用時には、その係止手段の弾性リング６６を、きのこ栽培瓶の瓶口２２外側周囲と、カバー本体の帯板の挿通穴５７内とから抜き取って、カバー本体５０から分離できる構造としても、良い。そして、カバー本体５０の洗浄等を円滑かつ確実に行えるようにしても、良い。
即ち、第１の巻紙代用カバーの係止手段６０は、カバー本体５０から分離能な構造としても良いし、前述のように、カバー本体５０に分離不可能に一体に備えた構造としても良い。
同様に、第２の巻紙代用カバーの係止手段７０も、カバー本体５０から分離不可能に、カバー本体５０に一体に備えて、その係止手段７０が、カバー本体５０から外れ落ちて、どこかに紛失する恐れをなくしても良いし、前述のように、カバー本体５０から分離可能な構造としても良い。
【００２７】
第１、第２の巻紙代用カバーにおいては、図７に示されたように、そのカバー本体の複数枚の帯板５２を、その各帯板５２の組み合わせ箇所を中心に互いに正逆に回動させて、カバー本体５０を、ほぼ１枚の帯板状に重ね合わせた状態に折り畳むことが可能な構造とすると良い。そして、第１、第２の巻紙代用カバーを、場所を取らぬように、容易に収納したり、容易に運搬したり可能とすると良い。
カバー本体の複数枚の帯板５２を、その各帯板５２の組み合わせ箇所を中心に互いに正逆に回動させることが可能とするためには、そのカバー本体の複数枚の帯板５２を、柔軟性の十分あるごく薄い可撓性部材で形成するか、又は図８に示されたように、そのカバー本体の各帯板５２の組み合わせ箇所に、コの字状の切欠き５５を縦方向にそれぞれ設けて、その一方の帯板の切欠き５５に他方の帯板の切欠き５５が設けられた部分を回動可能に嵌合させた状態とすると良い。
【００２８】
カバー本体の帯板５２は、場合によっては、硬質プラスチック樹脂製等の湾曲しにくい部材で形成しても良い。そして、その湾曲しにくい帯板５２で四方が囲まれたカバー本体の方形筒状をした格子目５４内側空間で、えのき茸等のきのこを、そのカバー本体の格子目５４内側空間の形状に合わせて、ボリューム感のある見栄えの良い方形柱状に確実に生育させても良い。
【産業上の利用可能性】
【００２９】
本発明の第１、第２の巻紙代用カバーと、該カバーを用いた本発明の第１、第２のきのこ栽培方法は、コンテナ内に起立させて縦横に並べて収容された複数本の各きのこ栽培瓶の瓶口内側を通して、その瓶口上方にえのき茸等のきのこを伸長させるきのこ栽培に、広く利用可能である。
【図面の簡単な説明】
【００３０】
【図１】本発明の第１の巻紙代用カバーの斜視図である。
【図２】本発明の第１の巻紙代用カバーの使用状態説明図である。
【図３】本発明の第１の巻紙代用カバーの使用状態説明図である。
【図４】本発明の第１の巻紙代用カバーの使用状態説明図である。
【図５】本発明の第２の巻紙代用カバーの係止手段の説明図である。
【図６】本発明の第１の巻紙代用カバーの係止手段の説明図である。
【図７】本発明の第１、第２の巻紙代用カバーの折り畳み状態説明図である。
【図８】本発明の第１、第２の巻紙代用カバーのカバー本体の構造説明図である。
【図９】複数本のきのこ栽培瓶がコンテナ内に起立させて縦横に並べて収容された状態の斜視図である。
【図１０】複数本のきのこ栽培瓶がコンテナ内に起立させて縦横に並べて収容された状態の斜視図である。
【符号の説明】
【００３１】
２０ きのこ栽培瓶
２２ きのこ栽培瓶の瓶口
２４ きのこ栽培瓶の瓶胴部
３０ コンテナ
３２ コンテナ上端の顎部
５０ カバー本体
５２ 帯板
５４ カバー本体の格子目
５７ 挿通穴
５８ 係止穴
６０ 係止手段
６６ 弾性リング
７０ 係止手段
７２ 係止手段一端のＬ字状折曲部
７４ 係止手段他端のＦ字状折曲部
【図１】
2007209311.tif 000003
【図２】
2007209311.tif 000004
【図３】
2007209311.tif 000005
【図４】
2007209311.tif 000006
【図５】
2007209311.tif 000007
【図６】
2007209311.tif 000008
【図７】
2007209311.tif 000009
【図８】
2007209311.tif 000010
【図９】
2007209311.tif 000011
【図１０】
2007209311.tif 000012